(57)【要約】【課題】  一対のキャビネット内の電子回路間で双方向又は一方向の通信を行なう電子機器において、両キャビネットが複雑な連結構造で連結されている場合でも狭いスペースで電子回路どうしを互いに接続する。【解決手段】  本発明に係る電子機器において、両キャビネット１、２にはそれぞれ、パラレルデータとシリアルデータの間でデータの変換を行なうデータ変換回路17、21が内蔵され、両キャビネットの連結部には、両キャビネット内のデータ変換回路17、21のシリアルデータ端子どうしを互いに連結する摺動式連結機構３が配備され、該摺動式連結機構３は、両キャビネットの回転及び／又はスライドに伴って互いに相対的に摺動すべき電極とブラシの接触によって、両データ変換回路17、21のシリアルデータ端子どうしを電気的に接続している。【選択図】      図１
2005267946.tif 000002
【特許請求の範囲】
【請求項１】
それぞれ電子回路を内蔵した一対のキャビネット(１)(２)を互いに相対回転可能及び／又はスライド可能に連結して構成され、両キャビネット(１)(２)の電子回路間で単一方向若しくは双方向の通信を行なう電子機器において、両キャビネット(１)(２)にはそれぞれ、パラレルデータとシリアルデータの間でデータの変換を行なうデータ変換回路(17)(21)が内蔵され、両キャビネット(１)(２)の連結部には、両キャビネット(１)(２)内のデータ変換回路(17)(21)のシリアルデータ端子どうしを互いに連結する摺動式連結機構(３)が配備され、該摺動式連結機構(３)は、両キャビネット(１)(２)の回転及び／又はスライドに伴って互いに相対的に摺動すべき電極とブラシの接触によって、両データ変換回路(17)(21)のシリアルデータ端子どうしを電気的に接続していることを特徴とする電子機器。
【請求項２】
前記一対のキャビネット(１)(２)は相対的な直線移動が可能であって、前記摺動式連結機構(３)は、一方のキャビネット(１)のデータ変換回路(17)のシリアルデータ端子が繋がっているブラシ群(５)と、他方のキャビネット(２)のデータ変換回路(21)が繋がっている電極部材(４)とを具え、該電極部材(４)は、両キャビネット(１)(２)の相対的な直線移動に伴って前記ブラシ群(５)が摺動すべき直進用電極群(41)を具えている請求項１に記載の電子機器。
【請求項３】
前記一対のキャビネット(１)(２)は相対的な回転が可能であって、前記摺動式連結機構(３)は、一方のキャビネット(１)のデータ変換回路(17)のシリアルデータ端子が繋がっている電極部材(４)と、他方のキャビネット(２)のデータ変換回路(21)が繋がっているブラシ群(６)とを具え、前記電極部材(４)は、両キャビネット(１)(２)の相対的な回転に伴って前記ブラシ群(６)が摺動すべき回転用電極群(44)を具えている請求項１に記載の電子機器。
【請求項４】
前記一対のキャビネット(１)(２)は相対的な直線移動と回転が可能であって、前記摺動式連結機構(３)は、一方のキャビネット(１)のデータ変換回路(17)のシリアルデータ端子が繋がっているブラシ群(５)と、他方のキャビネット(２)のデータ変換回路(21)が繋がっているブラシ群(６)と、両ブラシ群(５)(６)が摺接する中継電極部材(４)とを具え、該中継電極部材(４)は、両キャビネット(１)(２)の相対的な直線移動に伴って一方のブラシ群(５)が摺動すべき直進用電極群(41)と、両キャビネット(１)(２)の相対的な回転に伴って他方のブラシ群(６)が摺動すべき回転用電極群(42)とを具えている請求項１に記載の電子機器。
【発明の詳細な説明】
【技術分野】
【０００１】
本発明は、折り畳み式携帯電話機の如く、それぞれ電子回路を内蔵した一対のキャビネットを互いに回転可能及び／又はスライド可能に連結して構成され、両キャビネットの電子回路間で双方向又は一方向の通信を行なう電子機器に関するものである。
【背景技術】
【０００２】
従来、折り畳み式携帯電話機においては、図１１に示す如く、操作キーが配備されたキー操作キャビネット(10)とディスプレイが配備された画像表示キャビネット(20)とが、ヒンジ機構(30)を介して互いに連結され、両キャビネット(10)(20)に内蔵されている電子回路どうしは、ヒンジ機構(30)内で螺旋状に巻いたフレキシブルリード(31)によって互いに連結され、両電子回路間で、フレキシブルリード(31)を介した通信が行なわれる(特許文献１参照)。
【特許文献１】特開平６−３１１２１６号公報
【発明の開示】
【発明が解決しようとする課題】
【０００３】
ところで、近年の携帯電話機の多機能化に伴って、キー操作キャビネット(10)と画像表示キャビネット(20)の間で通信すべき信号の数が増加しており、フレキシブルリード(31)には例えば数十本の信号線が配列されている。従って、フレキシブルリード(31)には信号線の本数に応じて大きな幅が必要となる。又、信号線の断線を防止するためにフレキシブルリード(31)の巻き径は出来るだけ大きいことが望ましい。この様に大きな幅のフレキシブルリード(31)を大きな巻き径で螺旋状に巻いた場合、大きなスペースを占めることとなる。この結果、キー操作キャビネット(10)と画像表示キャビネット(20)の間の連結部が大型化する問題があった。
【０００４】
又、折り畳み式携帯電話機においては、キー操作キャビネットと画像表示キャビネットが１軸回りに回転可能であるだけでなく、両キャビネットがスライド可能であるものや、両キャビネットが互いに直交する２軸回りに回転可能であるもの等、複雑な連結構造を有するものが開発されており、この様な折り畳み式携帯電話機においては、上述のフレキシブルリードによる連結は困難となる。
【０００５】
そこで本発明の目的は、一対のキャビネットを具えて両キャビネット内の電子回路間で双方向又は一方向の通信を行なう電子機器において、両キャビネットが複雑な連結構造で連結されている場合でも狭いスペースで両キャビネットの電子回路どうしを互いに接続することが出来る電子機器を提供することである。
【課題を解決するための手段】
【０００６】
本発明に係る電子機器は、それぞれ電子回路を内蔵した一対のキャビネット(１)(２)を互いに相対回転可能及び／又はスライド可能に連結して構成され、両キャビネット(１)(２)の電子回路間で単一方向若しくは双方向の通信を行なうものである。
両キャビネット(１)(２)にはそれぞれ、パラレルデータとシリアルデータの間でデータの変換を行なうデータ変換回路(17)(21)が内蔵され、両キャビネット(１)(２)の連結部には、両キャビネット(１)(２)内のデータ変換回路(17)(21)のシリアルデータ端子どうしを互いに連結する摺動式連結機構(３)が配備されている。該摺動式連結機構(３)は、両キャビネット(１)(２)の回転及び／又はスライドに伴って互いに相対的に摺動すべき電極とブラシの接触によって、両データ変換回路(17)(21)のシリアルデータ端子どうしを電気的に接続している。
【０００７】
上記本発明の電子機器においては、両キャビネット(１)(２)の回転及び／又はスライドに伴って電極とブラシが互いに相対的に摺動し、両キャビネット(１)(２)の位置及び姿勢に拘わらず常に両者が接触して、両データ変換回路(17)(21)のシリアルデータ端子どうしの電気的接続が行なわれる。この結果、一方のキャビネット(１)の電子回路で作成されたパラレルデータがデータ変換回路(17)によってシリアルデータに変換された後、該データ変換回路(17)のシリアルデータ端子から出力される。該シリアルデータは、摺動式連結機構(３)の電極とブラシを通過して、他方のキャビネット(２)のデータ変換回路(21)のシリアルデータ端子に入力される。該シリアルデータはデータ変換回路(21)によってパラレルデータに変換された後、該キャビネット(２)の電子回路へ供給される。
【０００８】
上記本発明の電子機器によれば、上述の如く両キャビネット(１)(２)の電子回路間の通信がシリアル通信によって行なわれるので、摺動式連結機構(３)を構成する電極とブラシの対数は、パラレル通信を行なう場合に比べて遙かに少ないものとなる。この結果、摺動式連結機構(３)の小型化が実現される。
又、電極とブラシを摺接させた摺動式連結機構(３)は、従来のフレキシブルリードを渦巻き状に巻いた構成よりも無駄なスペースが少ないために、コンパクト化が可能である。
然も、電極とブラシの対を複数適宜に組み合わせた摺動式連結機構(３)の採用によって、両キャビネット(１)(２)が複雑な連結機構で連結されている場合の両電子回路の相互接続を実現することが出来る。
【０００９】
具体的構成において、前記一対のキャビネット(１)(２)は相対的な直線移動が可能であって、前記摺動式連結機構(３)は、一方のキャビネット(１)のデータ変換回路(17)のシリアルデータ端子が繋がっているブラシ群(５)と、他方のキャビネット(２)のデータ変換回路(21)が繋がっている電極部材(４)とを具え、該電極部材(４)は、両キャビネット(１)(２)の相対的な直線移動に伴って前記ブラシ群(５)が摺動すべき直進用電極群(41)を具えている。
【００１０】
該具体的構成によれば、両キャビネット(１)(２)の相対的な直線移動に伴って、電極部材(４)の直進用電極群(41)上をブラシ群(５)が摺動して、電子回路どうしの接続を維持する。
【００１１】
他の具体的構成において、前記一対のキャビネット(１)(２)は相対的な回転が可能であって、前記摺動式連結機構(３)は、一方のキャビネット(１)のデータ変換回路(17)のシリアルデータ端子が繋がっている電極部材(４)と、他方のキャビネット(２)のデータ変換回路(21)が繋がっているブラシ群(６)とを具え、前記電極部材(４)は、両キャビネット(１)(２)の相対的な回転に伴って前記ブラシ群(６)が摺動すべき回転用電極群(44)を具えている。
【００１２】
該具体的構成によれば、両キャビネット(１)(２)の相対的な回転に伴って、電極部材(４)の回転用電極群(44)上をブラシ群(６)が摺動して、電子回路どうしの接続を維持する。
【００１３】
更に他の具体的な構成において、前記一対のキャビネット(１)(２)は相対的な直線移動と回転が可能であって、前記摺動式連結機構(３)は、一方のキャビネット(１)のデータ変換回路(17)のシリアルデータ端子が繋がっているブラシ群(５)と、他方のキャビネット(２)のデータ変換回路(21)が繋がっているブラシ群(６)と、両ブラシ群(５)(６)が摺接する中継電極部材(４)とを具え、該中継電極部材(４)は、両キャビネット(１)(２)の相対的な直線移動に伴って一方のブラシ群(５)が摺動すべき直進用電極群(41)と、両キャビネット(１)(２)の相対的な回転に伴って他方のブラシ群(６)が摺動すべき回転用電極群(42)とを具えている。
【００１４】
該具体的構成によれば、両キャビネット(１)(２)の相対的な直線移動に伴って、電極部材(４)の直進用電極群(41)上をブラシ群(５)が摺動すると共に、両キャビネット(１)(２)の相対的な回転に伴って、電極部材(４)の回転用電極群(42)上をブラシ群(６)が摺動して、電子回路どうしの接続を維持する。
【発明の効果】
【００１５】
本発明に係る電子機器によれば、一対のキャビネットが複雑な連結構造で連結されている場合でも狭いスペースで両キャビネットの電子回路どうしを互いに接続することが出来る。
【発明を実施するための最良の形態】
【００１６】
以下、本発明を携帯電話機に実施した形態につき、図面に沿って具体的に説明する。
本発明に係る携帯電話機は、図１に示す如くキー操作キャビネット(１)と画像表示キャビネット(２)を具え、両キャビネット(１)(２)に内蔵された電子回路が摺動式連結機構(３)を介して互いに連結されている。
【００１７】
キー操作キャビネット(１)は、端末全体の動作制御及び信号処理を実行するデジタルベースバンドＣＰＵ(14)を具え、該デジタルベースバンドＣＰＵ(14)には、音声データを無線用の高周波信号に変調して送信する無線回路(11)、キー入力装置(12)、送話用のマイクロホン(18)からの音声信号を処理する回路や電源を含むアナログ処理回路(13)、ＲＯＭやＲＡＭを含むメモリ(15)等が接続されると共に、デジタルベースバンドＣＰＵ(14)とメモリ(15)を繋ぐメモリバス(16)には、パラレルデータをシリアルデータに変換するパラレル／シリアル変換回路(17)が接続されている。
【００１８】
一方、画像表示キャビネット(２)は、画像処理等の必要な信号処理を実行する画像処理ＣＰＵ(22)を具え、該画像処理ＣＰＵ(22)には、受話用のスピーカ(23)、カメラ(24)、ディスプレイ(25)、ＲＯＭやＲＡＭを含むメモリ(26)等が接続されると共に、画像処理ＣＰＵ(22)とメモリ(26)を繋ぐメモリバス(27)には、シリアルデータをパラレルデータに変換するシリアル／パラレル変換回路(21)が接続されている。
【００１９】
例えば、無線回路(11)によって受信された高周波信号はデジタルベースバンドＣＰＵ(14)にて低周波の信号に変換された後、パラレルデータとしてパラレル／シリアル変換回路(17)へ供給される。これによって、パラレル／シリアル変換回路(17)はパラレルデータをシリアルデータに変換して、シリアルデータ端子(図示省略)から出力する。
【００２０】
パラレル／シリアル変換回路(17)から出力されるシリアルデータは、摺動式連結機構(３)を経て、シリアル／パラレル変換回路(21)のシリアルデータ端子に入力される。シリアル／パラレル変換回路(21)は、入力されたシリアルデータをパラレルデータに変換した上で、画像処理ＣＰＵ(22)へ供給する。これによって、画像処理ＣＰＵ(22)は必要な画像処理を実行して映像信号を作成し、ディスプレイ(25)へ供給する。この結果、ディスプレイ(25)に文字やイラスト等を含む画像が表示されることになる。
【００２１】
尚、キー操作キャビネット(１)内の電子回路と画像表示キャビネット(２)内の電子回路とを繋ぐ信号線は例えば６本であって、電源線、グランド線、タイミング信号線(２本)、高速シリアルデータ線(２本)から構成されている。又、タイミング信号線(２本)に代えて、コマンドを送信するための低速シリアルデータ線(２本)を採用することも可能である。
【００２２】
第１実施例
図２〜図７は、キー操作キャビネット(１)と画像表示キャビネット(２)が画面と平行な軸に沿ってスライド可能であり、且つ画面と垂直な軸の回りに回転可能な携帯電話機を示している。
図２(ａ)(ｂ)に示す如く、キー操作キャビネット(１)のキー操作面に重ねて、画像表示キャビネット(２)が画面を表に向けた姿勢でスライド可能に配備され、この状態から画像表示キャビネット(２)を図４(ａ)(ｂ)に示す如くスライドさせることによって、キー操作キャビネット(１)の表面に配備されたキー操作面が露出する。更にこの状態から画像表示キャビネット(２)を図６(ａ)(ｂ)に示す如く９０度回転させることによって、画像表示キャビネット(２)の画面が横長の配置となる。
【００２３】
該携帯電話機においては、図２(ａ)に示す如く摺動式連結機構(３)が配備され、該摺動式連結機構(３)は、図３の如く、キャビネットのスライド方向に沿って直線状に伸びる直進用電極群(41)とキャビネットの回転方向に沿って円弧状に伸びる回転用電極群(42)からなる中継電極部材(４)と、中継電極部材(４)の直進用電極群(41)に摺接するキー操作側ブラシ群(５)と、中継電極部材(４)の回転用電極群(42)に摺接する画像表示側ブラシ群(６)とから構成される。キー操作側ブラシ群(５)は、信号線(52)を経てキー操作キャビネット(１)のパラレル／シリアル変換回路(17)に繋がり、画像表示側ブラシ群(６)は、信号線(61)を経て画像表示キャビネット(２)のシリアル／パラレル変換回路(21)に繋がっている。中継電極部材(４)は、キー操作キャビネット(１)と画像表示キャビネット(２)を連結する連結機構(図示省略)に内蔵されている。
【００２４】
図２に示す如くキー操作キャビネット(１)と画像表示キャビネット(２)が重なった状態では、図３の如くキー操作側ブラシ群(５)は、中継電極部材(４)の直進用電極群(41)の回転用電極群(42)側の端部に摺接すると共に、画像表示側ブラシ群(６)は、回転用電極群(42)の先端部に摺接している。
この状態から画像表示キャビネット(２)が図４の如くスライドすると、図５の如くキー操作側ブラシ群(５)が直進用電極群(41)に沿って直進用電極群(41)の下方端部まで摺動することになる。
更にこの状態から画像表示キャビネット(２)が図６の如く回転すると、図７の如く画像表示側ブラシ群(６)が回転用電極群(42)に沿って回転用電極群(42)の中央部まで摺動することになる。そして、更に画像表示キャビネット(２)が９０度回転すれば、画像表示側ブラシ群(６)は回転用電極群(42)に沿って回転用電極群(42)の直進用電極群(41)側の端部まで摺動する。
【００２５】
上記摺動式連結機構(３)によれば、キー操作キャビネット(１)と画像表示キャビネット(２)の相対的なスライド及び回転に伴って、キー操作側ブラシ群(５)と画像表示側ブラシ群(６)が中継電極部材(４)に対して摺動し、常に電気的接続が維持されて、キー操作キャビネット(１)と画像表示キャビネット(２)の間の通信が継続される。
【００２６】
第２実施例
図８(ａ)(ｂ)(ｃ)は、キー操作キャビネット(１)と画像表示キャビネット(２)が画面と平行な軸に沿ってスライド可能であり、且つ画面と平行な軸の回りに回転可能な携帯電話機を示している。
キー操作キャビネット(１)と画像表示キャビネット(２)とが図８(ａ)に示す如くキー操作面と画面を露出させた状態で接近離間可能に連結され、図８(ｂ)の如くキー操作キャビネット(１)から画像表示キャビネット(２)を離間させた状態で画像表示キャビネット(２)を図８(ｃ)の如く回転させることが出来る。
【００２７】
該携帯電話機においては、図８(ａ)に示す如く摺動式連結機構(３)が配備され、該摺動式連結機構(３)は、図９の如く、キャビネットのスライド方向に沿って直線状に伸びる直進用電極群(43)とキャビネットの回転軸と同軸の複数の異径円筒部を具えた回転用電極群(44)からなる中継電極部材(４)と、中継電極部材(４)の直進用電極群(43)に摺接するキー操作側ブラシ群(５)と、中継電極部材(４)の回転用電極群(44)に摺接する画像表示側ブラシ群(６)とから構成される。キー操作側ブラシ群(５)は、信号線(52)を経てキー操作キャビネット(１)のパラレル／シリアル変換回路(17)に繋がり、画像表示側ブラシ群(６)は、信号線(61)を経て画像表示キャビネット(２)のシリアル／パラレル変換回路(21)に繋がっている。中継電極部材(４)は、キー操作キャビネット(１)と画像表示キャビネット(２)を連結する連結機構(図示省略)に内蔵されている。
【００２８】
キー操作側ブラシ群(５)は図９及び図１０の如くガイド部材(７)に摺動可能に係合するスライド部材(51)に取り付けられて、画像表示キャビネット(２)の直線移動に伴って中継電極部材(４)の直進用電極群(43)上を摺動する。画像表示側ブラシ群(６)は、図９の如く支持部材(71)に支持されており、画像表示キャビネット(２)の回転に伴って中継電極部材(４)の回転用電極群(44)上を摺動する。
【００２９】
上記摺動式連結機構(３)によれば、キー操作キャビネット(１)と画像表示キャビネット(２)の相対的なスライド及び回転に伴って、キー操作側ブラシ群(５)と画像表示側ブラシ群(６)が中継電極部材(４)に対して摺動し、常に電気的接続が維持されて、キー操作キャビネット(１)と画像表示キャビネット(２)の間の通信が継続される。
【００３０】
上述の如く本発明に係る携帯電話機によれば、送信データがパラレルからシリアルに変換されてキー操作キャビネット(１)と画像表示キャビネット(２)の間の通信が行なわれるので、信号線の数が従来よりも大幅に減少し、然も中継電極部材(４)とブラシ群(５)(６)からなる摺動式連結機構(３)が採用されているので、両キャビネット(１)(２)が複雑な連結構造で連結されている場合でも摺動式連結機構(３)のコンパクト化が可能である。この結果、従来のフレキシブルリードを用いた連結方式に比べて、連結機構の小型化が実現される。
【００３１】
尚、本発明の各部構成は上記実施の形態に限らず、特許請求の範囲に記載の技術的範囲内で種々の変形が可能である。
例えば本発明は、スライドを伴わない一般的な折り畳み携帯電話機に実施することも可能であって、この場合、例えば図９に示す中継電極部材(４)の回転用電極群(44)と画像表示側ブラシ群(６)からなる摺動式連結機構(３)を採用し、回転用電極群(44)をパラレル／シリアル変換回路(17)に接続すると共に、画像表示側ブラシ群(６)をシリアル／パラレル変換回路(21)に接続する。
【００３２】
又、本発明は、回転を伴わないスライド式携帯電話機に実施することも可能であって、この場合、例えば図３に示す中継電極部材(４)の直進用電極群(41)とキー操作側ブラシ群(５)からなる摺動式連結機構(３)を採用し、キー操作側ブラシ群(５)をパラレル／シリアル変換回路(17)に接続すると共に、直進用電極群(41)をシリアル／パラレル変換回路(21)に接続する。
【００３３】
又、図１に示すデジタルベースバンドＣＰＵ(14)がパラレル／シリアル変換機能を有する場合はパラレル／シリアル変換回路(17)を省略し、画像処理ＣＰＵ(22)がシリアル／パラレル変換機能を有する場合はシリアル／パラレル変換回路(21)を省略することが出来る。
【図面の簡単な説明】
【００３４】
【図１】本発明に係る携帯電話機の構成を示すブロック図である。
【図２】第１実施例の携帯電話機において画像表示キャビネットを閉じた状態を示す図である。
【図３】図２の状態における摺動式連結機構の摺接状態を示す図である。
【図４】第１実施例の携帯電話機において画像表示キャビネットをスライドさせた状態を示す図である。
【図５】図４の状態における摺動式連結機構の摺接状態を示す図である。
【図６】第１実施例の携帯電話機において画像表示キャビネットを回転させた状態を示す図である。
【図７】図６の状態における摺動式連結機構の摺接状態を示す図である。
【図８】第２実施例の携帯電話機における画像表示キャビネットのスライド及び回転動作を説明する図である。
【図９】第２実施例における摺動式連結機構を示す正面図である。
【図１０】該摺動式連結機構の裏面図である。
【図１１】従来の連結機構を示す図である。
【符号の説明】
【００３５】
(１)  キー操作キャビネット
(２)  画像表示キャビネット
(３)  摺動式連結機構
(４)  中継電極部材
(41)  直進用電極群
(42)  回転用電極群
(５)  キー操作側ブラシ群
(６)  画像表示側ブラシ群
【図１】
2005267946.tif 000003
【図２】
2005267946.tif 000004
【図３】
2005267946.tif 000005
【図４】
2005267946.tif 000006
【図５】
2005267946.tif 000007
【図６】
2005267946.tif 000008
【図７】
2005267946.tif 000009
【図８】
2005267946.tif 000010
【図９】
2005267946.tif 000011
【図１０】
2005267946.tif 000012
【図１１】
2005267946.tif 000013